(57)【要約】【課題】  簡単な構造で組み立てが容易であり、コストが安価な切花輸送用容器を提供すること及び簡単な構造で組み立てが容易で、安価な、転倒の際水の漏出が防げる切花輸送用容器用のプラスチックシート製貯水容器を提供すること。【解決手段】  切花輸送用容器は、段ボール製の箱型収容部1と該収容部内の下部２の周壁３に直接固定したプラスチックシート製貯水容器４とからなる。かかる切花輸送用容器は、箱型収容部１が、矩形状の上下の端面と、該端面をつないで固定された３側面と、該３側面の１側端に連接する蓋として開閉可能な１側面とを有し、該開閉可能な１側面の下部は該蓋から切り離されて該下の端面と該３側面のうちの２側面に固定されて形成されてなる。また、その貯水容器４が開口部５周辺に折り返し部７を形成したものである。連接部９を設けると、切花を袋に差し込むのと同時に袋内に折り込むことができる。【選択図】      図１
2006199305.tif 000002
【特許請求の範囲】
【請求項１】
段ボール製の箱型収容部と該収容部内の下部の周壁に直接固定したプラスチックシート製貯水容器とからなることを特徴とする切花輸送用容器。
【請求項２】
前記箱型収容部が、矩形状の上下の端面と、該端面をつないで固定された３側面と、該３側面の１側端に連接する蓋として開閉可能な１側面とを有し、該開閉可能な１側面の下部は該蓋から切り離されて該下の端面と該３側面のうちの２側面に固定されて形成されてなることを特徴とする請求項１に記載の切花輸送用容器。
【請求項３】
前記箱型収容部は、プラスチックシート製貯水容器を固定した下部が切り離し可能になされていることを特徴とする請求項１又は２に記載の切花輸送用容器。
【請求項４】
前記貯水容器が、開口部周辺に折り返し部を形成したことを特徴とする請求項１乃至３のいずれかに記載の切花輸送用容器。
【請求項５】
前記貯水容器が、２枚の四角形のシートを張り合わせ、その所定の角を切除して開口部とした袋状のものであることを特徴とする請求項１乃至４のいずれかに記載の切花輸送用容器。
【請求項６】
前記貯水容器が、２枚の多角形のシートを張り合わせ、少なくともその１辺を開口部とした袋状をなすものであることを特徴とする請求項１乃至４のいずれかに記載の切花輸送用容器。
【請求項７】
前記貯水容器が、２枚の多角形のシートを張り合わせ、少なくともその１辺に開口部を設けた袋状となし、該開口部を袋内に折り込んだものであることを特徴とする請求項１乃至６のいずれかに記載の切花輸送用容器。
【請求項８】
前記貯水容器が、２枚の多角形のシートを張り合わせ、２箇所以上の開口部を設けた袋状となし、該開口部に挟まれた連接部を袋内に折り込んだものであることを特徴とする請求項１乃至６のいずれかに記載の切花輸送用容器。
【請求項９】
前記貯水容器の該開口部に挟まれた連接部が、生花を該袋に差し込むことにより同時に袋内に折り込まれることを特徴とする請求項８に記載の切花輸送用容器。
【請求項１０】
請求項１乃至９のいずれかに記載の段ボール製の箱型収容部とプラスチックシート製貯水容器とを組み合わせたことを特徴とする切花輸送用容器の組立キット。
【発明の詳細な説明】
【技術分野】
【０００１】
本発明は、花の輸送に使用する切花輸送用容器に関し、例えば、切り取った生花を採取地から消費地まで輸送する際に使用する切花輸送用容器及び切花輸送用容器の組立キットに関するものであって、詳しくはダンボール箱とプラスチックシート製の貯水袋とを組み合わせ、簡便かつ長時間切花を保護し輸送できる切花輸送用容器及び切花輸送用容器の組立キットを提供しようとするものである。
【背景技術】
【０００２】
近年、花卉類の需要が増えており、広く市場に流通しているが、生産地が遠方にあることも多く、生産地から消費地までは、航空機、船舶、列車、トラック等の輸送手段で適宜輸送されている。このような場合に、傷みやすい花卉類としては、花同士や他物との接触あるいは水分の不足を防ぎ、安全に保護しつつ輸送できる切花輸送用容器が望まれている。
【０００３】
切花の輸送は当初、生産地で採取した生花を消費地まで運搬するために、普通の段ボール箱が使用され、採取された生花を薄紙又は薄手のプラスチックシート等でくるみ、押しつぶされないように、段ボール箱に収納して輸送していた。ところがこのような方法では、輸送中に花やつぼみが圧迫されて生花の痛みが激しく、長時間に及ぶ輸送の後、消費地にて輸送箱から取り出したときには生花の何割かが痛みにより商品価値を失っていて、廃棄処分にされることが常態となっていた。
【０００４】
そこで最近では、箱の中に花瓶などにさした生花を立てて収容し、水分を補給しながら輸送することにより、花を傷めないで、かつ長期間にわたり新鮮な状態を維持しながら輸送することができる花卉用の輸送箱が考えられている。
【０００５】
例えば、図１１は、特許文献１に開示された、生花の鮮度を保持するために、花の茎を水又は栄養剤等の水溶液の中に漬けたまま運搬する段ボール容器１０１である。これは段ボール箱１０２の下部に花を垂直に固定するための花束支持部１０３を設け、内面側が水分保持能力を有し外面側が防水性フィルムからなる鮮度保持シート１０４でくるみ束ねられた花卉等１０５を花束支持部１０３の穴１０６に挿入するものである。鮮度保持シート１０４に包んだ上に鮮度保持シート１０４の上部を紐などでくくらねばならず作業工数を要した。また、特殊な防水性フィルムからなる鮮度保持シート１０４を使用するためにコスト高となっていた。
【０００６】
また図１２のように、段ボール箱１１２の下部に花を垂直に固定するための花束支持部１１３を設け、花束支持部１１３の段ボール製支持体１１４の裏に貯水用容器としてポリエチレンの袋１１５を貼り付けたものがあり、段ボール製支持体１１４に設けた注水口１１６の周りにポリエチレンの袋１１５の口を貼り付けている。このものは、注水口１１６の周りは放射状に複数の切れ目１１７と折れ線１１８が入れられていて袋内に折り返されて折り返し片１１９を形成しており、段ボール容器１１１が倒れた場合でもすぐに水が漏れることがないようになされている。１２０は花束支持部の間隔保持材である。かかる場合は、輸送中も給水されており、消費地到着後の水揚げが不要なので、すぐ店頭に並べることができる利点もある。この箱は使いきりのため、バクテリアが発生しにくく、花の寿命や商品価値の維持にも好ましく、かつ段ボールはリサイクルも容易であるという利点がある。しかしながら、このような切花輸送用容器は、製造に当たり段ボール製支持体１１４のコストや、その注水口１１６のまわり四周にポリエチレンの袋の口を貼り付け、折り返し片１１９を折り込むのに工数がかかる。内部に水を蓄えるために、段ボールに水が掛かると強度が落ちるので、段ボール容器１１１が倒れた時に水が掛かって強度が落ちるのを防ぐため段ボールの表面に撥水加工を施さなければならない、などの理由で高価になる欠点があった。
【０００７】
さらに、輸送時に生じやすい転倒のときも、栄養液や保水用の水が挿入口から外部に漏れ出すことがなく、逆流を防止する構造を備えた、取り扱いやすい切花用逆流防止付保水袋や花用輸送用容器として特許文献２や特許文献３のものがある。
【０００８】
図１３に示す、特許文献２に開示された切花用逆流防止付保水袋１２１は、主部袋１２２の内面と挿入筒部１２３の外面が重なり合う部分は、挿入筒部内側が筒状になるように接合してシール１２４し一体化したものである。切花が横転した際には主部袋１２２も一緒に倒れるが、主部袋１２２のうちの水１２５などは主部袋１２２と挿入筒部１２３の空間に流れ込んで勢いが弱められ、外部に漏出するのを防止するようになっている。
【０００９】
また、図１４に示す特許文献３に開示された花用輸送用容器は、プラスチック成形品であり、生花の保水用の水を貯留する容器本体１３０と、生花の束を容器本体１３０の底面１３１に対して起立状態で保持するとともに転倒時には容器本体１３０から水が漏出するのを防止する蓋１４０とを備え、容器本体１３０は、上面に開口部１３２を設け、蓋１４０は容器本体１３０の開口部１３２に対し水密状態に装着可能とし、容器本体１３０内へ延びる生花保持筒１４１を設けて、転倒時に水の全量が容器本体１３０と生花保持筒１４１との間の空間に滞留するようにしたものである。
【００１０】
【特許文献１】実開平５−１９１６９号公報
【特許文献２】特開２００３−１１６３４６号公報
【特許文献３】特開２００４−５９０４１号公報
【発明の開示】
【発明が解決しようとする課題】
【００１１】
しかしながら、上記特許文献に記載の従来技術においては、主部袋と挿入筒部の周囲を接着することが必要であったり、あるいは複数の部材で構成される複雑で精密な金型を要するプラスチック成形品であったりして、いずれも製造コストが掛かり、高価になるという問題がある。
【００１２】
本願の発明者は前記の問題点を解決すべく種々検討を行った結果、段ボール製の花束保持部を設けずに、保水性を備えたプラスチックシートで構成し折り返し部を備えた袋を直接に箱型容器の周囲の壁に固定すれば、簡単な構造であるから切花輸送用容器は安価に製造でき、切花に給水しながら安全に運送することができることを見出し、本発明を完成させるに至ったものである。
【００１３】
そこで、本発明は簡単な構造で組み立てが容易であり、コストが安価な切花輸送用容器を提供することを目的とする。
【００１４】
また、本発明は簡単な構造で組み立てが容易で、安価な、転倒の際は水の漏出が防げる切花輸送用容器用のプラスチックシート製貯水容器を提供することを目的とする。
【００１５】
更にまた、本発明は段ボール製の箱型収容部とプラスチックシート製貯水容器とを組み合わせた切花輸送用容器の組立キットを提供することを目的とする。
【課題を解決するための手段】
【００１６】
上記目的は、以下の手段により達成できる。すなわち、本発明の請求項１にかかる切花輸送用容器は、段ボール製の箱型収容部と該収容部内の下部の周壁に直接固定したプラスチックシート製貯水容器とからなることを特徴とする。
【００１７】
本発明の請求項２にかかる発明は、請求項１に記載の切花輸送用容器において、前記箱型収容部が、矩形状の上下の端面と、該端面をつないで固定された３側面と、該３側面の１側端に連接する蓋として開閉可能な１側面とを有し、該開閉可能な１側面の下部は該蓋から切り離されて該下の端面と該３側面のうちの２側面に固定されて形成されてなることを特徴とする。
【００１８】
本発明の請求項３にかかる発明は、請求項１又は２に記載の切花輸送用容器において、前記箱型収容部は、プラスチックシート製貯水容器を固定した下部が切り離し可能になされていることを特徴とする。
【００１９】
本発明の請求項４にかかる発明は、請求項１乃至３のいずれかに記載の切花輸送用容器において、前記貯水容器が開口部周辺に折り返し部を形成したことを特徴とする。
【００２０】
本発明の請求項５にかかる発明は、請求項１乃至４のいずれかに記載の切花輸送用容器において、前記貯水容器が２枚の四角形のシートを張り合わせ、その所定の角を切除して開口部とした袋状のものであることを特徴とする。
【００２１】
本発明の請求項６にかかる発明は、請求項１乃至４のいずれかに記載の切花輸送用容器において、前記貯水容器が、２枚の多角形のシートを張り合わせ、少なくともその１辺を開口部とした袋状をなすものであることを特徴とする。
【００２２】
本発明の請求項７にかかる発明は、請求項１乃至６のいずれかに記載の切花輸送用容器において、前記貯水容器が、２枚の多角形のシートを張り合わせ、少なくともその１辺に開口部を設けた袋状となし、該開口部を袋内に折り込んだものであることを特徴とする。
【００２３】
本発明の請求項８にかかる発明は、請求項１乃至６のいずれかに記載の切花輸送用容器において、前記貯水容器が、２枚の多角形のシートを張り合わせ、２箇所以上の開口部を設けた袋状となし、該開口部に挟まれた連接部を袋内に折り込んだものであることを特徴とする。
【００２４】
本発明の請求項９にかかる発明は、請求項８に記載の切花輸送用容器において、前記貯水容器の該開口部に挟まれた連接部が、生花を該袋に差し込むことにより同時に袋内に折り込まれることを特徴とする。
【００２５】
本発明の請求項１０にかかる切花輸送用容器の組立キットは、請求項１乃至９のいずれかに記載の段ボール製の箱型収容部とプラスチックシート製貯水容器とを組み合わせたことを特徴とする。
【発明の効果】
【００２６】
請求項１の発明によると、段ボール製の箱型収容部のその収容部内の下部の周壁にプラスチックシート製貯水容器を直接固定したので、段ボール製支持体が不要であり、構造が簡単で、コストが安い、切花輸送用容器を提供できる。
【００２７】
請求項２の発明によると、切花輸送用容器の収容部が、矩形状の上下の端面と、その端面をつないで固定された３側面と、その３側面の１側端に連接する蓋として開閉可能な１側面とを有し、開閉可能な１側面の下部は蓋から切り離されて下の端面と３側面のうちの２側面に固定されて形成されてなる箱型であり、この箱型収容部の下部は４面が固定されていて丈夫であり、その内面周壁にプラスチックシート製貯水容器を直接固定しても堅固に支持できるので、構造が簡単で、コストが安い切花輸送用容器を提供できる。
【００２８】
請求項３の発明によると、切花輸送用容器の箱型収容部のプラスチックシート製貯水容器を固定した下部が容易に切り離しできるようになされていることにより、その下部を切り離すことでそのまま展示できるので、花瓶などを準備する必要がなく簡便でかつ安価に切花の展示を行うことができる。
【００２９】
請求項４の発明によると、貯水容器の開口部周辺にその容器の折り返し部を形成したことにより、切花輸送用容器の転倒の際などに水などの漏出を防ぐことができる、簡単な構造で組み立てが容易な、安価な、切花輸送用容器用のプラスチックシート製貯水容器を提供することができる。
【００３０】
請求項５の発明によれば、貯水容器が２枚の四角形のシートを張り合わせ、その所定の角を切除して開口部とした袋状のものであることにより、貯水容器はきわめて簡単に製造でき、安価なものが提供できる。
【００３１】
請求項６の発明によれば、貯水容器が、２枚の多角形のシートを張り合わせ、少なくともその１辺を開口部とした袋状をなすものであることにより、箱型収容部の下部周壁に貼り付ける際、下部空間に適応する形態にすることができるので、より強固に下部周壁に固定できる。
【００３２】
請求項７の発明によれば、貯水容器が、２枚の多角形のシートを張り合わせ、少なくともその１辺に開口部を設けた袋状となし、その開口部を袋内に折り込んだものであることにより、箱型収容部の下部周壁に貼り付ける際、下部空間に適応する形態にすることができ、かつ簡単に折り返し部が形成できるので、より強固に下部周壁に固定できるとともに、水の漏出を防ぐことができる。
【００３３】
請求項８の発明によれば、貯水容器が、２枚の多角形のシートを張り合わせ、少なくとも２箇所の開口部を設けた袋状となし、開口部に挟まれた連接部を袋内に折り込んだものであるので、折り返し部が丈夫でかつ連接部が生花の茎に押さえられて安定し、開口部の大きさも調節しやすく、給水状態が加減できる。
【００３４】
請求項９の発明によれば、貯水容器の開口部に挟まれた連接部が、生花を差し込むことにより同時に折返し部として貯水容器の袋内に折込まれるので、わざわざ折り返し作業を行う必要がなく、作業工数が低減できる。
【００３５】
請求項１０の発明によれば、段ボール製の箱型収容部とプラスチックシート製貯水容器とを組み合わせた切花輸送用容器の組立キットとしたので、流通過程において小規模生産者や、町の花屋が簡単に組み立てることができるので、切花輸送容器として広い用途が得られる。
【発明を実施するための最良の形態】
【００３６】
以下に本発明の実施の形態につき図面を参照して説明する。なお、以下に示す実施態様は、本発明の技術思想を具体化するための切花輸送用容器及び切花輸送用容器の組立キットを例示するものであって、本発明をこの態様に限定することを意図するものではなく、種々の変更が可能であり、特許請求の範囲に包含されるその他の実施態様のものにも及ぶことは言うまでもない。
【実施例１】
【００３７】
図１は、本発明にかかる切花輸送用容器の構造の概要を説明する斜視図、図２は図１に示す切花輸送用容器の一部を破断してプラスチックシート製貯水容器の取り付け状態を説明する斜視図、図３はプラスチックシート製貯水容器の一実施例を示す平面図であり、図４は図３のプラスチックシート製貯水容器の使用状態を示す断面図である。図５はプラスチックシート製貯水容器の第二の実施例を示す平面図である。図６はプラスチックシート製貯水容器の第三の実施例を示す平面図であり、図７は図６のプラスチックシート製貯水容器の使用状態を示す断面図である。また、図８はプラスチックシート製貯水容器の第四の実施例を示す平面図であり、図９は図８のプラスチックシート製貯水容器の使用状態を示す断面図である。図１０は箱型収容部とプラスチックシート製貯水容器のキットである第五の実施例を示す斜視図である。
【００３８】
本発明の切花輸送用容器は、図１に示すように、段ボール製の箱型収容部１と収容部内の下部２の周壁３に直接固定したプラスチックシート製貯水容器４とからなる。
【００３９】
切花輸送用容器の箱型収容部１は、矩形状の上下の端面１１ａ、１１ｂと、両端面１１ａ、１１ｂをつないで固定された３側面１１ｃ、１１ｄ、１１ｅと、それら３側面の端に位置する１１ｅの１側端に連接する蓋として開閉可能な１側面１１ｆとを有している。開閉可能な１側面１１ｆの下部１１ｇは、蓋１１ｆから切り離されて下の端面１１ｂと３側面１１ｃ、１１ｄ、１１ｅのうちの２側面１１ｃ、１１ｅに固定され、プラスチックシート製貯水容器４の収容部を形成する。
【００４０】
さらに、箱型収容部１には、プラスチックシート製貯水容器４を固定した下部２が容易に切り離しできるように、箱型収容部１を一巡するミシン目１１ｈなどを開閉可能な１側面１１ｆの下部１１ｇと蓋１１ｆの境目付近から延長して設けるようにしても良い。例えば図１においては、二筋のミシン目１１ｈの間を引っ張って取り除き、分離できるようにしてある。このように、プラスチックシート製貯水容器４を固定した箱型収容部１の下部が容易に切り離しできるようになされていることにより、輸送の目的地に到達後は、切花輸送用容器の箱型収容部１がその下部を切り離して生花の展示にそのまま使用できるので、花瓶などを準備する必要がなく、簡便でかつ経済的に生花の展示を行うことができる。
【００４１】
プラスチックシート製貯水容器４は、従来のように注水口やその周りの折り返し部を形成したダンボール製の花束支持部を用いないで、あるいはプラスチック製の堅固な成形品ではなく、開口部５を有する簡単な構造のプラスチックシート製の袋であり、図２に示すように、箱型収容部１の下部２の内側周壁３に本体の袋を直接接着剤や両面接着テープなどの固定手段６によって固定される。貯水容器４は開口部５周辺に折り返し部７が形成してある。
【００４２】
貯水容器４は、ポリエステル、ポリエチレン、ナイロン、塩化ビニールなどの柔軟性と防水性のあるプラスチックシートを張り合わせて製造したものであり、例えば図３に示したように、２枚の四角形のシートをシール部４ａで張り合わせ、その所定の角を切除し開口部５とした五角形の袋状のものである。この貯水容器４は、図４に使用状態を示したように、開口部５を中心に袋の一部を、点線で示した折り返し点４ｃから袋の中に折り返すことにより、漏斗状の折り返し部７を形成する。袋の角の部分４ｂは接着剤などで箱型収容部１の内壁に固定され、水や栄養液８などが注入された後、複数本の切花や花束が挿入され、切り口が水や栄養液８などに浸漬され必要な水分が供給される。何らかの理由で切花輸送用容器１が転倒すると、水や栄養液８は貯水容器４の袋部分と折り返し部７との間にとどまり、外に漏れることが防止される。なお、水などの注入量は、花の種類、量、輸送期間、季節等を考慮して設定されるが、貯水容器４が倒れて横向きになっても開口部５からあふれない程度にしておく。
【００４３】
図５は、プラスチックシート製貯水容器の第二の実施例を示す平面図である。貯水容器４が、２枚の多角形のシートを張り合わせ、その１辺を開口部５とした袋状をなすものである。図５では六角形に裁断し、その５つの辺をシールした袋としたもので、底面に水平方向のシール部分４ａがある。この袋は、点線部分４ｃで開口部５側が袋内に折り返しが行われ、漏斗状の折り返し部７が形成される。多角形の形状は任意であるが、貯水容器４が、２枚の多角形の防水性プラスチックのシートを張り合わせ、少なくともその１辺に開口部５を設けた袋状となし、開口部５を袋内に折り込む場合に、作業のし易い形体が望ましい。
【００４４】
図６乃至図９は、プラスチックシート製貯水容器４の第三、第四の実施例とその使用状態を示す説明図である。これらの実施例は、貯水容器４を２枚の多角形のシートを張り合わせて、そのうちの少なくとも２辺の一部に開口部５ａ、５ｂを設けた袋状となし、開口部５ａ、５ｂに挟まれた連接部９を袋内に折り込んだものである。図６では六角形で頂辺の部分がシールされ連接部９となり、これを挟んだ二辺の一部に開口部５ａ、５ｂが設けられている。図８の貯水容器４は、本体の六角形の一辺に小さな四角形を延長して設けたもので、小さな方の四角形のシールされた連接辺９を挟んで対向する２辺が開口部５ｃ、５ｄとなっている。また、この開口部５ａ、５ｂ（５ｃ、５ｄ）に挟まれた連接部９に近接する位置には貫通穴５ｆがそれぞれ設けられている。
【００４５】
これらの貯水容器４においては、その開口部に挟まれた連接部９を、切花を袋に差し込むのと同時に袋内に折り込むことができるので、予め折り返し作業をやっておく必要がなく、折り返し作業の工数が不要であり、節減できる。殊に、図８の貯水容器４では本体部の開口５ｅが小さくなっていて、切花を挿入した場合に花束の支持に便利である。また開口部５ｃ、５ｄが二つであり、その大きさを加減して、切花輸送用容器が転倒した際の水や水溶液８の移動を制御することができる。また、貫通穴５ｆが設けられていることにより、切花輸送用容器が開口部５ａ、５ｂ（５ｃ、５ｄ）方向に直交する方向に転倒した場合であっても貯水容器４内の水がこぼれにくくなる。
【００４６】
上記の実施例にかかわらず、箱型収容部は、そのサイズや形体は輸送する切花の種類や量に応じて適宜設定することができる。又、貯水容器の形体も、２枚のプラスチックシートを、箱型収容部の下部に納まり易い様々な形体に裁断して張り合わせ製造することができる。また、貯水容器４の内面の一部分又は全面に、銀、銅、酸化チタンなどの抗菌作用のある物質の皮膜を設けたり、あるいは前記物質を直接貯水容器４内部に貼付しておけば、その殺菌作用により内部の水は長期間きれいな状態に保たれるので、輸送中あるいはその後の展示中の生花を長持ちさせることが可能になる。
【００４７】
段ボール製の箱型収容部とプラスチックシート製貯水容器とは、組み合わせて切花輸送用容器のキットにして、生産農家や花屋などが保有しておけば、必要時に組み立てて使用することができる。その場合には、分離して保有することもできるが、図１０に示したように、箱型収容部１の周囲壁の固定手段６（図２参照）うち、２箇所（図１０では６ａ）においてのみプラスチックシート製貯水容器４を貼り付けたものを折り畳んで保有しておき、組み立ての際に残りの周囲壁（図１０では６ｂ）に貼り付けるようにしてもよい。従来のものは花束を支持する段ボール製の支持体が必要であったので、一体での折り畳みはできなかったが、本実施例の切花輸送用容器においては箱型収容部1の箱体とプラスチックシート製貯水容器４のみで構成されているので、プラスチックシート製貯水容器４を組み込んだ状態でかさばることなく一体に折り畳むことができる。よって、かかる切花輸送用容器の組立キットによれば、構造が簡単であるので取り扱いが容易で組み立て作業を迅速、的確かつ効率的に行うことができる。また、このような構造によれば、花屋の店頭などでも簡単に組み立てることができると共に組立キット自体を保有する際にもその保管が容易になる。
【００４８】
このように、本発明に係る切花輸送用容器によると、防水塗層を施した段ボールの花束支持部を要せず、簡単な構造であり、安いコストで製造することができ、切花に給水しながら安全に運送することができる。
【図面の簡単な説明】
【００４９】
【図１】図１は本発明にかかる切花輸送用容器の構造の概要を説明する斜視図である。
【図２】図２は図１に示す切花輸送用容器の一部を破断してプラスチックシート製貯水容器の取り付け状態を説明する斜視図である。
【図３】図３はプラスチックシート製貯水容器の一実施例を示す平面図である。
【図４】図４は図３のプラスチックシート製貯水容器の使用状態を示す断面図である。
【図５】図５はプラスチックシート製貯水容器の第二の実施例を示す平面図である。
【図６】図６はプラスチックシート製貯水容器の第三の実施例を示す平面図である。
【図７】図７は図６のプラスチックシート製貯水容器の使用状態を示す断面図である。
【図８】図８はプラスチックシート製貯水容器の第四の実施例を示す平面図である。
【図９】図９は図８のプラスチックシート製貯水容器の使用状態を示す断面図である。
【図１０】図１０は箱型収容部とプラスチックシート製貯水容器のキットである第五の実施例を示す斜視図である。
【図１１】図１１は従来の花卉用の輸送箱の一例を示すものである。
【図１２】図１２は従来の他の花卉用の輸送箱の構造説明図である。
【図１３】図１３は従来の逆流を防止する構造を備えた切花用逆流防止付保水袋の斜視図である。
【図１４】図１４は従来の生花用輸送用容器が転倒した状態を示す断面図である。
【符号の説明】
【００５０】
１              箱型収容部
２              収容部内の下部
３              周壁
４              貯水容器
５、５ａ〜５ｄ  開口部
５ｆ            貫通孔
６、６ａ、６ｂ  固定手段
７              折り返し部
８              水、栄養液
９              連接部
１１ａ、１１ｂ  上下の端面
１１ｃ、１１ｄ、１１ｅ  側面
１１ｆ          蓋
【図１】
2006199305.tif 000003
【図２】
2006199305.tif 000004
【図３】
2006199305.tif 000005
【図４】
2006199305.tif 000006
【図５】
2006199305.tif 000007
【図６】
2006199305.tif 000008
【図７】
2006199305.tif 000009
【図８】
2006199305.tif 000010
【図９】
2006199305.tif 000011
【図１０】
2006199305.tif 000012
【図１１】
2006199305.tif 000013
【図１２】
2006199305.tif 000014
【図１３】
2006199305.tif 000015
【図１４】
2006199305.tif 000016